(57)【要約】      （修正有）【課題】断面の真円度を小さくした草刈り用コードを提供する。【解決手段】草刈り用コード１０は、断面が円形を呈する。草刈り用コード１０の径は、１．６ｍｍ以上３ｍｍ以下であることが好ましく、用途に応じて設定できる。草刈り用コード１０の断面の真円度は、０．５５ｍｍ以下であることが好ましい。草刈り用コード１０は、微生物が産出するポリエステルであるポリヒドロキシアルカン酸からなる。この草刈り用コード１０は、脂肪族芳香族ポリエステル系樹脂を含有することが好ましい。【選択図】図３
2012191913.tif 000002
【特許請求の範囲】
【請求項１】
ポリヒドロキシアルカン酸からなり、断面が円形を呈することを特徴とする、
草刈り用コード。
【請求項２】
脂肪族芳香族ポリエステル系樹脂を含有することを特徴とする、
請求項１に記載の草刈り用コード。
【請求項３】
ＪＩＳ  Ｂ０６２１−１９８４に規定される真円度が０．５５ｍｍ以下であることを特徴とする、
請求項１または２に記載の草刈り用コード。
【発明の詳細な説明】
【技術分野】
【０００１】
本発明は、コード型草刈り装置に用いられる草刈り用コードに関する。
【背景技術】
【０００２】
近年、草刈り装置における円盤等の回転部品外周に取り付けて使用するナイロンコードが知られている（例えば、特許文献１参照）。このナイロンコードは、回転部品の回転によって旋回して草を切り払うものであり、金属製の回転刃に代わり、一般に広まりつつある。ナイロンコードは、金属製の回転刃と比較して鋭利ではなく、旋回中のナイロンコードに人体が触れた場合であっても、重傷に至る可能性は低い。また、ナイロンコードは、折損や摩耗の状況に応じて交換できると共に、その交換が容易である。
【０００３】
その一方で、ナイロンコードは、折損して飛び散ったり、交換後不要となって廃棄されたりし、その場に残されることもある。この場合、ナイロンコードは、自然に分解されず、半永久的に放置されてしまう。そこで、環境保全の立場から、自然に分解される生分解繊維からなるコードをナイロンコードの代わりに用いることが提案されている（例えば、特許文献２参照）。
【先行技術文献】
【特許文献】
【０００４】
【特許文献１】特開２００７−１３５４１８号公報
【特許文献２】特開２００３−２３０３１２号公報
【発明の概要】
【発明が解決しようとする課題】
【０００５】
生分解繊維からなるコードには、断面が円形、角形、星形等、種々のものがある。製造コストの面からは、断面が円形であることが望まれる。この場合、切れ味を考慮すると、断面の真円度（この値は、小さいほど真円に近い。詳しくは、ＪＩＳ  Ｂ０６２１−１９８４を参照されたい。）が小さいことが要求される。断面の真円度が大きいコードを草刈り装置で旋回させた場合、図６（Ａ）に示されるような空気を切る姿勢とならず、図６（Ｂ）に示されるような空気を大きく受ける姿勢となるからである。しかしながら、今までは、断面の真円度を小さくすることに限界があり、所望の真円度にすることは難しかった。また、特許文献２に記載されているコードは、断面の真円度を考慮したものではなく、また、所望の真円度まで小さくできるものではなかった。
【０００６】
本発明は上記課題を鑑みてなされたものであり、断面の真円度を小さくした草刈り用コードを提供することを目的とする。
【課題を解決するための手段】
【０００７】
（１）本発明は、ポリヒドロアルカン酸からなり、断面が円形を呈することを特徴とする、草刈り用コードである。
【０００８】
（２）本発明はまた、脂肪族芳香族ポリエステル系樹脂を含有することを特徴とする、上記（１）に記載の草刈り用コードである。
【０００９】
（３）ＪＩＳ  Ｂ０６２１−１９８４に規定される真円度が０．５５ｍｍ以下であることを特徴とする、上記（１）または（２）に記載の草刈り用コードである。
【発明の効果】
【００１０】
本発明によれば、草刈り用コードの断面を、所望の真円度まで小さくできる。
【図面の簡単な説明】
【００１１】
【図１】本発明に係る草刈り用コードの一部を示した部分斜視図である。
【図２】図１におけるＡ−Ａ線に沿う断面図である。
【図３】図１に示す草刈り用コードの断面の真円度を説明する図である。
【図４】図１に示す草刈り用コードの生産工程を示すフローチャートである。
【図５】図１に示す草刈り用コードを草刈り装置に取り付けた状態を示す使用状態図である。
【図６】断面の真円度が大きいコードを草刈り装置で旋回させた場合におけるコードの姿勢を説明する図であり、（Ａ）は実際にはならない姿勢を示し、（Ｂ）は実際になる姿勢を示す。
【００１２】
以下、図面を用いて、本発明に係る草刈り用コードについて詳細に説明する。
【００１３】
まず、図１〜図３を用いて、草刈り用コード１０の構成について説明する。図１は、草刈り用コード１０の一部を示した部分斜視図である。図２は、図１におけるＡ−Ａ線に沿う断面図である。図３は、草刈り用コード１０の断面の真円度を説明する図である。
【００１４】
図１および図２に示される草刈り用コード１０は、芝生、畦草、雑草等の草のみならず、笹、小枝等、種々の草木を刈る際に用いられる。この草刈り用コード１０は、断面が円形を呈する。草刈り用コード１０の径は、１．６ｍｍ以上３ｍｍ以下であることが好ましく、用途に応じて設定できる。芝生用には１．６ｍｍのものが、農作地や道端の畦草・雑草用には２．０ｍｍ以上２．６ｍｍ以下のものが、それぞれ適している。畦草・雑草用としては、特に、２．４ｍｍ以上２．６ｍｍ以下のものが好ましく、２．４ｍｍまたは２．６ｍｍのものがより好ましい。草刈り用コード１０の長さは、例えば２００ｍｍであり、用途に応じて設定できる。
【００１５】
草刈り用コード１０の断面の真円度は、０．５５ｍｍ以下であることが好ましく、０．５０ｍｍ以下であることがより好ましい。真円度とは、ＪＩＳ  Ｂ０６２１−１９８４に規定されているように、円形形体（本実施形態では、草刈り用コード１０の断面）の幾何学的に正しい円からの狂いの大きさをいう。この真円度は、円形形体を２つの同心の幾何学的円で挟んだとき、同心円の間隔が最小となる場合の、２円の半径の差で表される。すなわち、図３に示されるように、草刈り用コード１０の真円度は、草刈り用コード１０の断面を縁取る外縁線１０ａを、互いの間隔ｄが最小となるように２つの同心の幾何学的円ＣＩ１，ＣＩ２で挟んだときの当該間隔ｄで表される。
【００１６】
草刈り用コード１０は、微生物が産出するポリエステルであるポリヒドロキシアルカン酸からなる。この草刈り用コード１０は、脂肪族芳香族ポリエステル系樹脂を含有することが好ましい。脂肪族芳香族ポリエステル系樹脂の含有量は、４０質量％以下が好ましく、４０質量％であることがより好ましい。
【００１７】
ポリヒドロキシアルカン酸としては、特に限定されないが、３−ヒドロキシブチレート、３−ヒドロキシヘキサノエート、３−ヒドロキシバリレート、３−ヒドロキシオクタノエート、３−ヒドロキシデカノエート等の単独重合体やそれらの共重合体が挙げられる。具体例として、３−ヒドロキシブチレートと３−ヒドロキシヘキサノエートとの共重合体が挙げられるが、この共重合体には、株式会社カネカ（大阪市北区）が市販するカネカＰＨＢＨを使用できる。
【００１８】
脂肪族芳香族ポリエステル系樹脂としては、特に限定されないが、ポリブチレンアジペートとテレフタレートとの縮合体、テトラメチレンアジペートとテレフタレートとの縮合体、ポリブチレンアジペートとテレフタレートとの縮合体等が挙げられる。ポリブチレンとテレフタレートとの縮合体には、ＢＡＳＦ社（ドイツ連邦共和国ラインラント＝プファルツ州ルートヴィヒスハーフェン）が市販するエコフレックス（商品名）を使用できる。
【００１９】
次に、草刈り用コード１０の生産工程について、図４を用いて説明する。図４は、草刈り用コード１０の生産工程を示すフローチャートである。
【００２０】
図４に示されるように、草刈り用コード１０の生産工程は、撹拌工程（ステップＳ１００）と、押出成形工程（ステップＳ１０１）と、冷却工程（ステップＳ１０２）と、延伸工程（ステップＳ１０３）と、熱処理工程（ステップＳ１０４）と、巻取工程（ステップＳ１０５）と、柔軟処理工程（ステップＳ１０６）と、乾燥処理工程（ステップＳ１０７）と、性能検査工程（ステップＳ１０８）と、製品加工工程（ステップＳ１０９）と、を備えている。
【００２１】
まず、撹拌工程（ステップＳ１００）において、容器内の原料が撹拌される。撹拌された原料は、押出成形工程（ステップＳ１０１）において、ダイで押し出されて糸状に成形される。糸状に成形された対象物は、冷却工程（ステップＳ１０２）において、冷却槽で冷却される。冷却された対象物は、延伸工程（ステップＳ１０３）において、延伸される。延伸された対象物は、熱処理工程（ステップＳ１０４）において、加熱される。加熱された対象物は、巻取工程（ステップＳ１０５）において、軸芯に巻き取られる。軸芯に巻き取られた対象物は、柔軟処理工程（ステップＳ１０６）において、可塑剤に浸されて柔軟処理が施される。柔軟処理が施された対象物は、乾燥処理工程（ステップＳ１０７）において、熱せられて乾燥処理が施される。乾燥処理が施された対象物は、性能検査工程（ステップＳ１０８）において、強度や寸法等の性能検査が施される。性能検査が施された対象物は、製品加工工程（ステップＳ１０９）において、所望の長さに切断される等して製品である草刈り用コード１０として加工される。なお、延伸工程（ステップＳ１０３）および熱処理工程（ステップＳ１０４）は、巻取工程（ステップＳ１０５）の前に、適宜複数回繰り返して施してもよい。
【００２２】
次に、草刈り用コード１０を取り付けた草刈り装置２０について、図５を用いて説明する。図５は、草刈り用コード１０を草刈り装置２０に取り付けた状態を示す。
【００２３】
図５に示される草刈り装置２０は、把手部となるハンドル２１と、このハンドル２１に基端部分が取り付けられた柄２２と、この柄２２の先端部分に回転可能に取り付けられた円盤２３と、この円盤２３を回転させるモータ等の動力源（図示省略）と、等を備えている。円盤２３の外周には、１本または複数本の草刈り用コード１０が交換可能に取り付けられる。草刈り用コード１０は、円盤２３の回転によって旋回して草を切り払う。
【００２４】
［実験１］次に、草刈り用コード１０の断面の真円度を調べた実験１を、以下の表１に示す。実験１では、サンプルとして、径が２．６ｍｍのものを４２本使用した。なお、真円度が０．５０ｍｍ以下の場合に評価を◎とした。また、真円度が０．５０ｍｍを超え０．５５ｍｍ以下の場合に評価を○とした。さらに、真円度が０．５５ｍｍを超え０．６５以下の場合に評価を△とした。
【００２５】
【表１】
2012191913.tif 000003
【００２６】
このように、草刈り用コード１０によれば、折損して飛び散ったり、交換後不要となって廃棄されたりし、その場に残された場合であっても、自然に分解されるので、環境保全の面で優れている。また、断面が円形であり、製造コストの面で優れている。さらに、ポリヒドロキシアルカン酸からなるので、断面の真円度を所望の値、例えば０．５５ｍｍ以下の値に小さくできる。
【００２７】
本発明は、上記実施形態に限られるものではなく、その趣旨および技術思想を逸脱しない範囲で種々の変形が可能である。
【００２８】
すなわち、上記実施形態において、各原料の配合比率、各構成要件の寸法は適宜変更できる。例えば、草刈り用コード１０の径や長さ、あるいは断面の真円度等が挙げられる。
【産業上の利用可能性】
【００２９】
本発明に係る草刈り用コードは、コード型草刈り装置に適用できる。
【符号の説明】
【００３０】
１０  草刈り用コード
１０ａ  外縁線
２０  草刈り装置
２１  ハンドル
２２  柄
２３  円盤
ＣＩ１，ＣＩ２  幾何学的円
ｄ  間隔
【図１】
2012191913.tif 000004
【図２】
2012191913.tif 000005
【図３】
2012191913.tif 000006
【図４】
2012191913.tif 000007
【図５】
2012191913.tif 000008
【図６】
2012191913.tif 000009